(57)【要約】【課題】建物の外壁に太陽エネルギー板を設置し、それによって電力を提供し、特に、施工プロセスの間に建物の外壁に太陽エネルギー板を取り付ける方法を提供する。【解決手段】基板、前記基板上に設置されたフレームと、前記フレームに固定された太陽エネルギー板を含む予め製造された壁板と壁を提供するステップ、および前記壁に予め製造された壁板を設置するステップを含む壁板の施工方法。【選択図】図３
2008190316.tif 000002
【特許請求の範囲】
【請求項１】
基板、前記基板上に設置されたフレームと、前記フレームに固定された太陽エネルギー板を含む予め製造された壁板と壁を提供するステップ、および
前記壁に予め製造された壁板を設置するステップを含む壁板の施工方法。
【請求項２】
前記太陽エネルギー板は、色素増感太陽電池を含む請求項１記載の壁板の施工方法。
【請求項３】
前記太陽エネルギー板上に光触媒体を塗布するステップをさらに含む請求項１記載の壁板の施工方法。
【請求項４】
前記基板は、コンクリート平板である請求項１記載の壁板の施工方法。
【請求項５】
前記予め製造された壁板は、定着剤をさらに含み、前記定着剤は、前記フレームに設置され、前記太陽エネルギー板に隣接して前記太陽エネルギー板を前記フレーム内の固定する請求項１記載の壁板の施工方法。
【請求項６】
前記定着剤は、ゴムである請求項５記載の壁板の施工方法。
【請求項７】
前記予め製造された壁板は、自動工程によって形成するステップをさらに含む請求項１記載の壁板の施工方法。
【請求項８】
基板、前記基板上に設置されたフレームと、前記フレームに固定された複数の太陽エネルギー板を含む予め製造された壁板と壁を提供するステップ、および
前記壁に予め製造された壁板を設置するステップを含む壁板の施工方法。
【請求項９】
基板、
前記基板に設置され、複数の隔壁を含むフレーム、および
前記隔壁に対応して設置された複数の太陽エネルギー板を含む予め製造された壁板。
【請求項１０】
前記基板は、コンクリート平板である請求項９記載の予め製造された壁板。
【請求項１１】
前記フレームに設置され、前記太陽エネルギー板に隣接して前記太陽エネルギー板を前記フレーム内に固定する複数の定着剤をさらに含む請求項９記載の予め製造された壁板。
【請求項１２】
前記定着剤は、ゴムでできている請求項１１記載の予め製造された壁板。
【請求項１３】
鋳造によって基板を形成するステップ、
前記基板にフレームを設置するステップ、
前記フレームに太陽エネルギー板を設置するステップ、および
前記フレームに定着剤を設置し、前記太陽エネルギー板に隣接して固定するステップを含む壁板の製造方法。
【請求項１４】
前記太陽エネルギー板に光触媒体を塗布するステップをさらに含む請求項１３記載の壁板の製造方法。
【発明の詳細な説明】
【技術分野】
【０００１】
本発明は、壁板施工方法に関し、特に、予め製造された壁板によって壁に太陽エネルギー板を取り付ける方法に関するものである。
【背景技術】
【０００２】
従来の光電太陽エネルギー板は、単結晶シリコン太陽電池、またはアモルファスシリコン太陽電池を用いて太陽エネルギーを変換している。しかし、単結晶シリコン太陽電池、またはアモルファスシリコン太陽電池は、コストが高く、通常、携帯用電子機器への電力供給に用いられる。
【０００３】
建物では、従来、太陽エネルギーは、ガス利用の湯沸器に取って代わり、水を加熱するように用いられる。エネルギー板は、建築物が完成した後、建物の屋根に設置される。
【発明の開示】
【発明が解決しようとする課題】
【０００４】
本発明は、建物の外壁に太陽エネルギー板を設置し、それによって電力を提供する。特に、本発明は、施工プロセスの間に建物の外壁に太陽エネルギー板を取り付ける方法を提供する。
【課題を解決するための手段】
【０００５】
本発明は、下記のステップを含む壁板の施工方法を提供する。まず、予め製造された壁板と壁が提供される。予め製造された壁板は、基板、フレームと、太陽エネルギー板を含む。フレームは、基板上に設置され、太陽エネルギー板は、フレームに固定される。最後に予め製造された壁板が壁に設置される。
【発明の効果】
【０００６】
本発明では、太陽エネルギー板が壁板に予め取り付けられる。よって、施工プロセスの間、太陽エネルギー板は、壁板によって建物の外壁上に直接、設置されることができる。本発明を用いれば、太陽エネルギー板は、建物の外壁上に早く容易に設置されることができる。
【発明を実施するための最良の形態】
【０００７】
本発明についての目的、特徴、長所が一層明確に理解されるよう、以下に実施形態を例示し、図面を参照にしながら、詳細に説明する。
【実施例】
【０００８】
図１ａと１ｂは、基板１１０、フレーム１２０と、複数の太陽エネルギー板１３０を含む本発明の予め製造された壁板１００を表している。フレーム１２０は、基板１１０上に設置される。太陽エネルギー板１３０は、フレーム１２０内に設置される。
【０００９】
図１ａに示されるように、フレーム１２０は、複数の隔壁１２１を含み、太陽エネルギー板１３０は、隔壁１２１に固定される。太陽エネルギー板の１つが劣化、または破損された時、破損された太陽エネルギー板は、対応する隔壁から直接解体されて取り替え可能である。
【００１０】
図１ｂに示されるように、フレーム１２０は、定着剤１２２とアンカー１２３をさらに含む。定着剤１２２は、フレーム１２０に設置され、太陽エネルギー板１３０に隣接して太陽エネルギー板１３０をフレーム１２０内に固定し、太陽エネルギー板１３０に供給された運動エネルギーを吸収し、その安定性を増加させる。アンカー１２３は、基板に嵌め込まれ、基板１１０上のフレーム１２０を固定する。定着剤１２２は、ゴムでもよい。基板１１０は、コンクリート平板でもよい。他の例では、補強素子（例えば鋼板）が基板１１０に設置可能である。太陽エネルギー板１３０は、色素増感太陽電池を含むことができ、光触媒体がその表面に塗布されることができる。
【００１１】
図２は、本発明の壁板の製造プロセスを表している。まず、基板が鋳造によって形成される（Ｓ１）。他の例では、鋳造の時に、補強素子が基板に設置可能である。続いてフレームが基板に設置される（Ｓ２）。次に太陽エネルギー板がフレーム内に取り付けられる（Ｓ３）。最後に、定着剤がフレームに設置され、太陽エネルギー板に隣接して固定する（Ｓ４）。上述の壁板の製造プロセスは、自動工程によって実現可能である。
【００１２】
図３に示されるように、施工プロセスの時、予め製造された壁板１００は、建物の壁１０の上に直接、設置されることができる。
【００１３】
本発明では、太陽エネルギー板は、側壁に予め取り付けられる。よって、施工プロセスの時、太陽エネルギー板は、壁板によって建物の外壁上に直接、設置可能である。本発明によれば、太陽エネルギー板は、建物の外壁上に早くかつ容易に設置可能である。
【００１４】
本発明によれば、太陽エネルギー板は、建物に電力を提供する。図４に示されるように、太陽エネルギー板１３０は、第１電流１を提供する。第１電流１は、バッテリー２０に流れ込み、直流交流変換器３０に流れる。最後に、第１電流１は、合流装置４０に流れ、合流装置４０は、家庭用電流３を家庭用電化製品５０に提供する。第１電流１が不足の時、第２電流（都市電力）２が合流装置４０に流れ、家庭用電流３を提供する。
【００１５】
図５は、単一の太陽エネルギー板１３０を用いた本発明のもう１つの実施例の予め製造された壁板１００’を表している。
【００１６】
以上、本発明の好適な実施例により例示したが、本発明はこれに限定されるものではない。本発明の精神および範囲を逸脱しない限りにおいては、当業者であれば行い得る少々の変更や修飾を付加することは可能である。したがって、本発明が保護を請求する範囲は、特許請求の範囲を基準とする。
【図面の簡単な説明】
【００１７】
【図１ａ】本発明の壁板の前面図である。
【図１ｂ】本発明の壁板の側面図である。
【図２】本発明の壁板の製造プロセスを表している。
【図３】建物の側壁に設置された本発明の壁板を表している。
【図４】建物の家庭用電化製品に電力を提供する本発明の太陽エネルギー板を表している。
【図５】本発明のもう１つの実施例を表している。
【符号の説明】
【００１８】
１  第１電流
２  第２電流
３  家庭用電流
１０  壁
２０  バッテリー
３０  直流交流変換器
４０  合流装置
５０  家庭用電化製品
１００、１００’  壁板
１１０  基板
１２０  フレーム
１２１  隔壁
１２２  定着剤
１２３  アンカー
１３０  太陽エネルギー板
【図１ａ】
2008190316.tif 000003
【図１ｂ】
2008190316.tif 000004
【図２】
2008190316.tif 000005
【図３】
2008190316.tif 000006
【図４】
2008190316.tif 000007
【図５】
2008190316.tif 000008